(57)【特許請求の範囲】
【請求項１】
第１コネクタ、スライド移動により前記第１コネクタを露出するカバー、を有した携帯装置と、
前記携帯装置を装着可能な装着部、前記装着部に設けられ前記携帯装置が前記装着部に装着された場合に前記第１コネクタに接続される第２コネクタ、前記装着部に設けられ前記第１及び第２コネクタが接続された場合に前記カバーを逃がす逃げ面、を有した支持装置と、を備え、
前記携帯装置は、前記逃げ面に対向する背面、前記背面よりも面積が小さい側面、を有し、
前記カバーは、前記側面に設けられ前記背面側にスライド可能である、電子システム。
【請求項２】
前記支持装置は、前記装着部に装着された前記携帯装置と前記逃げ面との間に空気を送風するファンを有している、請求項１の電子システム。
【請求項３】
前記携帯装置は、前記装着部に装着された際に前記逃げ面と対向する背面、前記背面の裏側に位置する正面、を有し、
前記支持装置は、前記ファンにより送風される空気を前記正面に案内する案内部を有している、請求項２の電子システム。
【請求項４】
前記携帯装置は、前記第１コネクタに隣接した第１端子を有し、
前記支持装置は、前記第２コネクタに隣接し、前記第1及び第２コネクタが接続された時に前記第１端子と接続される第２端子を有している、請求項１乃至３の何れかの電子システム。
【請求項５】
前記携帯装置は、前記カバーをスライド可能に支持し前記第１コネクタを収納した筐体を有し、
前記カバーは、前記第１コネクタを露出した状態で前記筐体と係合する係合部を有している、請求項１乃至４の何れかの電子システム。
【請求項６】
支持装置に装着可能な携帯装置において、
筐体と、
前記筐体に収納された第１コネクタと、
スライドにより前記筐体における前記第１コネクタに対向する第１位置から前記筐体の外部となる第２位置へ移動して前記第１コネクタを露出するカバーであって、前記支持装置における装着部に前記筐体が装着されて前記第１コネクタが前記支持装置の第２コネクタに接続された場合に、前記第２位置へ移動した状態で前記支持装置の逃げ面に収容されるカバーと、を備え、
前記筐体は、前記逃げ面に対向する背面、前記背面よりも面積が小さい側面、を有し、
前記カバーは、前記側面に設けられ前記背面側にスライド可能である、携帯装置。
【請求項７】
携帯装置のための支持装置において、
前記携帯装置の筐体が装着される装着部と、
前記装着部に設けられ前記携帯装置が前記装着部に装着された場合に前記携帯装置の第１コネクタに接続される第２コネクタと、
スライドにより前記携帯装置の前記筐体における前記第１コネクタに対向する第１位置から前記筐体の外部となる第２位置へ移動して前記第１コネクタを露出する前記携帯装置のカバーであって、前記カバーが前記第２位置に移動した状態での前記携帯装置が前記装着部に装着されることを可能とする前記カバーを収容する逃げ面と、を備え、
前記携帯装置は、前記逃げ面に対向する背面、前記背面よりも面積が小さい側面、を有し、
前記カバーは、前記側面に設けられ前記背面側にスライド可能である、支持装置。
【発明の詳細な説明】
【技術分野】
【０００１】
本発明は、電子システムに関する。
【背景技術】
【０００２】
携帯装置を支持可能な支持装置が知られている。携帯装置と支持装置との接続はコネクタを介して行なわれる。携帯装置には、スライドにより携帯装置のコネクタを露出するカバーが設けられている場合がある。
【先行技術文献】
【特許文献】
【０００３】
【特許文献１】実開平０５−０２３２２５号公報
【特許文献２】特開２００１−２２２３４４号公報
【特許文献３】国際公開番号  ＷＯ２００５／０８６４６６  Ａ１
【発明の概要】
【発明が解決しようとする課題】
【０００４】
携帯装置を支持装置に装着するためには、カバーが携帯装置のコネクタを露出した状態で携帯装置を支持装置に装着させる。従って、携帯装置のコネクタを露出した状態にあるカバーが支持装置と干渉すると、携帯装置を支持装置に装着することができなくなる。
【０００５】
本発明は、携帯装置のコネクタを露出するカバーとの干渉を防止した支持装置を有する電子システムを提供することを目的とする。また、そのような電子システムにおける携帯装置、支持装置を提供することを目的とする。
【課題を解決するための手段】
【０００６】
本明細書に開示の電子システムは、第１コネクタ、スライド移動により前記第１コネクタを露出するカバー、を有した携帯装置と、前記携帯装置を装着可能な装着部、前記装着部に設けられ前記携帯装置が前記装着部に装着された場合に前記第１コネクタに接続される第２コネクタ、前記装着部に設けられ前記第１及び第２コネクタが接続された場合に前記カバーを逃がす逃げ面、を有した支持装置と、を備えている。
【０００７】
本明細書に開示の、支持装置に装着可能な携帯装置は、筐体と、前記筐体に収納された第１コネクタと、スライドにより前記筐体における前記第１コネクタに対向する第１位置から前記筐体の外部となる第２位置へ移動して前記第１コネクタを露出するカバーであって、前記支持装置における装着部に前記筐体が装着されて前記第１コネクタが前記支持装置の第２コネクタに接続された場合に、前記第２位置へ移動した状態で前記支持装置の逃げ面に収容されるカバーと、を備えている。
【０００８】
本明細書に開示の、携帯装置のための支持装置は、前記携帯装置の筐体が装着される装着部と、前記装着部に設けられ前記携帯装置が前記装着部に装着された場合に前記携帯装置の第１コネクタに接続される第２コネクタと、スライドにより前記携帯装置の前記筐体における前記第１コネクタに対向する第１位置から前記筐体の外部となる第２位置へ移動して前記第１コネクタを露出する前記携帯装置のカバーであって、前記カバーが前記第２位置に移動した状態での前記携帯装置が前記装着部に装着されることを可能とする前記カバーを収容する逃げ面と、を備えている。
【発明の効果】
【０００９】
携帯装置のコネクタを露出するカバーとの干渉を防止した支持装置を有する電子システムを提供できる。また、そのような電子システムにおける携帯装置、支持装置を提供できる。
【図面の簡単な説明】
【００１０】
【図１】図１Ａ、１Ｂは、本実施例の携帯電話の説明図である。
【図２】図２Ａ、２Ｂは、本実施例の携帯電話の説明図である。
【図３】図３Ａ、３Ｂは、カバーの開閉の説明図である。
【図４】図４Ａ、４Ｂは、カバーの説明図である。
【図５】図５は、カバーが取外されて露出したコネクタ周辺の拡大図である。
【図６】図６は、本実施例の支持装置の斜視図である。
【図７】図７は、本実施例の支持装置の斜視図である。
【図８】図８は、携帯電話を装着した支持装置を示している。
【図９】図９Ａ、９Ｂは、支持装置に設けられたファンによる空気の流れの説明図である。
【発明を実施するための形態】
【００１１】
携帯電話を携帯装置の一例として説明する。図１Ａ〜２Ｂは、本実施例の携帯電話の説明図である。携帯電話１００は、筐体１１０、１２０を有している。筐体１１０、１２０は、所定の範囲をスライド可能に連結されている。換言すれば、筐体１１０、１２０は、重畳され、開閉可能に連結されている。図１Ａ、１Ｂは、閉じた閉状態の携帯電話１００を示し、図２Ａ、２Ｂは、開いた開状態の携帯電話１００を示している。図１Ａ、２Ａは、携帯電話１００の正面図である。図１Ｂは、携帯電話１００を下方から見た図である。図２Ｂは、携帯電話１００を横から見た図である。なお、以下では筐体１１０に対して筐体１２０がスライドする方向を上下としている。しかしながら、例えば、この携帯電話１００を使って通話する場合など携帯電話１００の使い方によっては、筐体１１０に対する筐体１２０のスライド方向に交差する方向が上下にもなり得る。
【００１２】
筐体１１０は、正面１１１、背面１１２、上側面１１３、下側面１１４、横側面１１５、１１６を有している。筐体１２０は、正面１２１、背面１２２、上側面１２３、下側面１２４、横側面１２５、１２６を有している。本実施例の携帯電話１００は、横側面１１５、１１６、１２５、１２６の各長さよりも、上側面１１３、１２３、下側面１１４、１２４の各長さのほうが長い。閉じた状態では、筐体１１０の正面１１１と筺体１２０の背面１２２とが対向する。開いた状態、つまり筐体１２０が筐体１１０に対してスライドした状態では、筐体１１０の正面１１１が露出する。筐体１１０の正面１１１には、携帯電話１００を操作するためのキーボード部Ｋ、トラックボール１４０が設けられている。筐体１２０の正面１２１には、キーボード部Ｋ、トラックボール１４０への操作に応じて所望の画像を表示するディスプレイＤが設けられている。
【００１３】
図３Ａ、３Ｂは、カバー１６０の開閉の説明図である。図３Ａは、カバー１６０が閉じた状態を示し、図３Ｂは、カバー１６０が開いた状態を示している。カバー１６０は、筐体１１０に対して背面１１２側にスライド可能である。カバー１６０がスライドすることにより、筐体１１０内に収納されていたコネクタＣ１００が露出する。コネクタＣ１００は、後述する支持装置１のコネクタＣ１に接続可能である。コネクタＣ１００は、第１コネクタの一例である。カバー１６０は、カバー１６０が設けられている下側面１１４よりも面積の大きい背面１１２側にスライド可能である。
【００１４】
図１Ｂ、３Ａ、３Ｂに示すように、筐体１１０の下側面１１４には、２つの端子部Ｔ１００が設けられている。端子部Ｔ１００は、第１端子部に一例である。２つの端子部Ｔ１００は、カバー１６０を挟むようにして、筐体１１０の長手方向に並んでいる。端子部Ｔ１００は、後述する支持装置１の端子部と電気的に接続される。端子部Ｔ１００は、筐体１１０内に配置されたプリント基板のグランドに接続されている、又は筐体１１０内に配置された接地された金属板に接続されている。コネクタＣ１００、端子部Ｔ１００は隣接しているので、コネクタＣ１００、端子部Ｔ１００に接続される電気系統を筐体１１０内で集約化することができる。これにより、筐体１１０内でのこれら電気系統の占有スペースを抑制される。
【００１５】
図４Ａ、４Ｂは、カバー１６０の説明図である。図４Ａは、カバー１６０の正面側を示し、図４Ｂは、カバー１６０の裏面側を示している。カバー１６０は、板状の基部１６１、基部１６１の両縁に形成され基部１６１の裏面から基部１６１に直交する方向に突出した２つの側壁１６８、を有している。側壁１６８には、側壁１６８に垂直に突出した突起１６９が設けられている。また、基部１６１の上縁には２つの爪部１６５が設けられている。また、基部１６１の裏面側の下縁側には爪部１６７が設けられている。
【００１６】
図５は、カバー１６０が取外されて露出したコネクタＣ１００周辺の拡大図である。筐体１１０には、互いに対向する壁部１１８、壁部１１８の間に位置する爪部１１７、が設けられている。尚、図５においては、一方の壁部１１８のみを示している。壁部１１８には、筐体１１０の厚み方向に延びた溝部１１９が形成されている。溝部１１９の上端部１１９ＯＥは開放している。溝部１１９の下端部１１９ＣＥは、閉じている。カバー１６０の突起１６９は、溝部１１９にスライド可能に係合する。これにより、カバー１６０は筐体１１０に対してスライド可能となる。尚、背面１１２側には、筐体１１０に内蔵されたスピーカからの音を放出するための報音部Ｓが設けられている。放音部Ｓは、筐体１１０の背面１１２に形成された複数の孔である。
【００１７】
上端部１１９ＯＥ付近には係合部１１９ＰＵが形成され、下端部１１９ＣＥ付近には係合部１１９ＰＬが形成されている。係合部１１９ＰＵは、互いに対向する壁部１１８の内面から互いに接近するように隆起している。係合部１１９ＰＵ間の幅は、他の部分の幅に比べて狭くなっている。係合部１１９ＰＵ間の幅は、突起１６９の径よりも若干大きい程度である。係合部１１９ＰＬも係合部１１９ＰＵと同様である。従って、カバー１６０が開いている場合には、カバー１６０の突起１６９が下端部１１９ＣＥに位置し、突起１６９が係合部１１９ＰＬに当接することにより突起１６９の上方側への移動が抑制される。これにより、カバー１６０が開いている状態が維持される。換言すれば、コネクタＣ１００が露出した状態に維持される。
【００１８】
カバー１６０が閉じている状態の場合には、カバー１６０の突起１６９は係合部１１９ＰＵよりも上方側に位置して、突起１６９が係合部１１９ＰＵに当接することにより突起１６９の下方側への移動が抑制される。また、カバー１６０が閉じた場合には、カバー１６０の爪部１６７と筐体１１０側に設けられた爪部１１７とが係合し、また爪部１６５も筐体１１０と係合する。これにより、カバー１６０が閉じた状態に維持される。
【００１９】
このように、カバー１６０は、筐体１１０の長手方向へスライドはできず、筐体１１０の背面方向にスライドする。ここで、カバー１６０を筐体１１０の長手方向にスライド可能に設けることが考えられる。しかしながら、筐体１１０の長手方向にスライド可能にカバー１６０を筐体１１０に設けると、以下のような問題が起こり得る。カバー１６０を筐体１１０の長手方向にスライド可能とする場合には、筐体１１０内をスライドするか、又は筐体１１０の下側面１１４の外側をスライドすることが考えられる。カバー１６０が筐体１１０内をスライドする場合には、筐体１１０内でのカバー１６０の占有スペースが増大する。また、カバー１６０が筐体１１０の下側面１１４の外側をスライドする場合には、そのスライドを可能とするために長手方向に沿ってくぼみや溝部を下側面１１４の形成することになり、カバー１６０が閉じている状態においてそれらが露出するため、外観上好ましくない。
【００２０】
また、カバー１６０が筐体１１０の長手方向にスライドさせると、コネクタＣ１００に隣接して端子部Ｔ１００を設けることはできない。このため、コネクタＣ１００から離れた位置に端子部Ｔ１００を設ける必要がある。コネクタＣ１００から離れた位置に端子部Ｔ１００を設けると、これらに接続される電気系統を筐体１１０内で分散して配置されることになり、筐体１１０内でのこれら電気系統の占有スペースが増大するおそれがある。従って、本実施例の携帯電話１００は、カバー１６０を筐体１１０の背面１１２側にスライド可能とすることにより、このような問題を抑制している。
【００２１】
図６、７は、本実施例の支持装置１の斜視図である。支持装置１は、基部１０、基部１０に形成され携帯電話１００を装着可能な装着部２０、を有している。支持装置１は、支持装置１に接続された携帯電話１００に、データの送受信や充電を行なうための機能を有している。支持装置１は、クレードルとも称される。
【００２２】
基部１０は例えば合成樹脂製である。装着部２０は、凹状である。装着部２０は、支持面２２、２３、底面２４、側面２５、２６、逃げ面２７、退避面２８を有している。支持面２２、２３は、装着部２０に装着された携帯電話１００を支持する。支持面２３には、詳しくは後述するが窪み部２３Ｄが設けられている。底面２４は、装着部２０に装着された携帯電話１００の下側面１１４、１２４と対向する。底面２４には、コネクタＣ１、２つの端子部Ｔ１、送風口ＢＯが形成されている。コネクタＣ１は、携帯電話１００のコネクタＣ１００と接続可能である。コネクタＣ１は、第２コネクタの一例である。端子部Ｔ１は、携帯電話１００の端子部Ｔ１００と接続可能である。端子部Ｔ１は、第２端子部の一例である。端子部Ｔ１、Ｔ１００は、グランド接続用の端子である。端子部Ｔ１は、基部１０内に配置された金属板と導通している。端子部Ｔ１は、弾性変形可能なワイヤ状である。送風口ＢＯからは、装着部２０に装着された携帯電話１００へ空気が送られる。
【００２３】
逃げ面２７は、底面２４と略直交する。逃げ面２７は、詳しくは後述するが装着部２０に装着された携帯電話１００には当接しない。退避面２８は、逃げ面２７に連続している。退避面２８の水平線に対する傾斜角度は、逃げ面２７の水平線に対する傾斜角度よりも小さい。退避面２８も、装着部２０に装着された携帯電話１００からは離間している。退避面２８は、装着された携帯電話１００を１から取外す際に携帯電話１００を掴みやすくする。装着部２０は、支持面２２、２３にそれぞれ連続した側面２５、２６を有している。
【００２４】
基部１０は、正面部１４、側壁部１５、１６、背面部１７を有している。正面部１４は、装着部２０の底面２４を画定する。側壁部１５、１６は、それぞれ装着部２０の支持面２２、２３を画定する。また、側壁部１５、背面部１７には、それぞれ、コネクタＣ１に接続された携帯電話１００と外部装置とデータの送受信を行なうためのコネクタＣ２、Ｃ３が設けられている。装着部２０の側壁部１５側には、保持部３０、４０が設けられている。側壁部１６側にも保持部３０、４０が設けられている。保持部３０、４０は、装着部２０の側面２５、２６にそれぞれ設けられている。保持部３０は、それぞれ側面２５、２６に固定されている。保持部４０は、側面２５、２６にそれぞれ進退自在に設けられている。保持部３０は、保持部４０よりも支持装置１の正面側に設けられている。
【００２５】
側壁部１６の外側には、支持装置１への電力を供給するためのケーブルを差し込み可能な挿入孔Ｈが形成されている。支持面２２には、装着部２０に装着された携帯電話１００に傷がつくのを防止するためにゴムＧが設けられている。支持面２２は、支持装置１を水平面に配置したときに鉛直線に対して傾斜しており、装着部２０に装着された携帯電話１００を斜めに支持する。尚、支持面２３も支持面２２と同様である。正面部１４の装着部２０付近には、水平方向に延びた案内部１８が形成されている。案内部１８は、装着部２０に装着された携帯電話１００の下側の縁を覆う。
【００２６】
図８は、携帯電話１００を装着した支持装置１を示している。尚、図８においては、閉じた状態の携帯電話１００を示している。支持面２２、２３は、筐体１１０の背面１１２の両側部と対向する。支持面２３に形成された窪み部２３Ｄは、筐体１１０の背面１１２側に設けられた放音部Ｓから退避している。これにより、携帯電話１００を支持装置１に装着した際に、放音部Ｓから放出される音を遮断することが防止される。側面２５、２６は、それぞれ、横側面１１５、１２５と対向する。側面２５は、装着部２０に装着された携帯電話１００の横側面１１５、１２５と対向する。側面２６は、携帯電話１００の横側面１１６、１２６と対向する。保持部３０は、筐体１１０の正面１１１側に対向する。
【００２７】
閉状態の携帯電話１００を支持装置１に装着する際には、筐体１１０のカバー１６０を開いた状態にして、携帯電話１００を支持面２２、２３と、保持部３０との間に挿入する。これにより、携帯電話１００は底面２４側に案内されて、コネクタＣ１００とコネクタＣ１とが接続される。上述したように、カバー１６０は、筐体１１０に形成された壁部１１８の係合部１１９ＰＬによりコネクタＣ１００を露出した状態に維持できる。この状態で、コネクタＣ１にコネクタＣ１００を接続することにより、支持装置１と携帯電話１００とが電気的に接続される。このように、装着する際にもコネクタＣ１００が露出した状態に維持されるので、コネクタＣ１とコネクタＣ１００の接続作業が容易である。尚、閉状態の携帯電話１００を装着部２０に装着する際には、２つの保持部４０はそれぞれ筐体１２０の横側面１２５、１２６に押されて側壁部１５、１６側に移動する。
【００２８】
コネクタＣ１とコネクタＣ１００が接続された際には、端子部Ｔ１と端子部Ｔ１００も接続される。上述したように、端子部Ｔ１は弾性変形可能なワイヤ状である。端子部Ｔ１００が端子部Ｔ１に接続されることにより端子部Ｔ１は弾性変形する。この端子部Ｔ１の弾性復元力により、端子部Ｔ１と端子部Ｔ１００が圧接する。これによって、端子部Ｔ１と端子部Ｔ１００の導通性が確保されている。
【００２９】
図９Ａ、９Ｂは、支持装置１に設けられたファンＦによる空気の流れの説明図である。図９Ａは、閉状態の携帯電話１００が支持装置１に装着された場合を示しており、図９Ｂは、開状態の携帯電話１００が支持装置１に装着された場合を示している。逃げ面２７は、装着部２０に装着された携帯電話１００と離間している。これにより、カバー１６０を開いて携帯電話１００を装着部２０に装着する際に、カバー１６０と逃げ面２７とは干渉しない。これにより、コネクタＣ１とコネクタＣ１００を接続して装着部２０に携帯電話１００を装着することができる。
【００３０】
基部１０内にはファンＦが配置されている。ファンＦが回転することにより、支持装置１の底面側に設けられた孔から外部の空気を吸引する。吸引した空気は、送風口ＢＯから送り出される。送風口ＢＯから送り出される空気の一部は、筐体１１０の下側面１１４と装着部２０の底面２４との間を流れ、背面１１２と逃げ面２７との間を流れる。逃げ面２７は、筐体１１０の背面１１２から所定の間隔を有して対向しているので、空気が背面１１２に沿って流れる。これにより、筐体１１０を充分に冷却することができる。このように、逃げ面２７は、カバー１６０を逃がす機能を有していると共に、ファンＦからの空気を背面１１２に沿って流れるように案内する機能をも有している。
【００３１】
上述したように、正面部１４には案内部１８が形成されている。案内部１８は、底面２４に対して垂直方向に突出している。携帯電話１００が閉状態の場合には図９Ａに示すように、送風口ＢＯから送り出される空気の一部は、筐体１２０の下側面１２４と底面２４との間を流れ、案内部１８により携帯電話１００の正面１２１の表面を流れるように案内される。これにより、携帯電話１００の筐体１２０側も冷却することができる。送風口ＢＯから送り出された空気は、筐体１１０の背面１１２と筐体１２０の正面１２１とに沿うように流れ、筐体１１０、１２０の双方を効率的に冷却することができる。携帯電話１００が開状態の場合には図９Ｂに示すように、送風口ＢＯから送り出された空気の一部は、案内部１８により筐体１１０の正面１１１側を流れるように案内される。これにより、携帯電話１００が開状態の場合には筐体１１０を効率的に冷却することができる。
【００３２】
上述したように閉状態の携帯電話１００においては、筐体１１０、１２０が略重なりあうため、筐体１２０の正面１２１が筐体１１０の背面１１２の裏側に位置する。従って、携帯電話１００が閉状態の場合には、案内部１８は、ファンＦより送風される空気を筐体１２０の正面１２１に案内する。一方、携帯電話１００が開状態で支持装置１に装着された場合には、筐体１１０の正面１１１が筐体１１０の背面１１２に裏側に位置する。従って、携帯電話１００が開状態の場合には、案内部１８は、ファンＦより送風される空気を筐体１１０の正面１１１に案内する。
【００３３】
また、コネクタＣ１とコネクタＣ１００が接続された際に、案内部１８はこのコネクタＣ１、Ｃ１００を隠蔽する。このため、外観が向上している。
【００３４】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３５】
尚、上記実施例においては、スライド式の携帯電話を例に説明したが、ヒンジ機構を有した開閉式の携帯電話であってもよいし、変形しない携帯電話であってもよい。上記実施例においては、携帯装置の一例として携帯電話を説明したが、携帯装置はそれ以外であってもよい。携帯装置は、例えば、タブレット型コンピュータ、ノート型コンピュータ、電子辞書、ＰＤＡ、ゲーム機、カメラ、音楽プレイヤー、ナビゲーション装置等である。上記支持装置１は、単なる充電器であってもよい。
【００３６】
端子部Ｔ１、Ｔ１００は、グランド接続のためのものに限定されない。
【符号の説明】
【００３７】
１  支持装置
１０  基部
１８  案内部
２０  装着部
２７  逃げ面
ＢＯ  送風口
Ｆ  ファン
１００  携帯電話
１１０、１２０  筐体
１１２  背面
１１９ＰＵ、１１９ＰＬ  係合部
１６０  カバー
Ｃ１、Ｃ１００  コネクタ
Ｔ１、Ｔ１００  端子部
【図１】
0005720301.tif 000002
【図２】
0005720301.tif 000003
【図３】
0005720301.tif 000004
【図４】
0005720301.tif 000005
【図５】
0005720301.tif 000006
【図６】
0005720301.tif 000007
【図７】
0005720301.tif 000008
【図８】
0005720301.tif 000009
【図９】
0005720301.tif 000010